(57)【要約】【課題】  きめの細かい図柄を一体的、かつ、印象的に形成することが可能で、さらに、使用時における図柄の割れも生じにくく、しかも、生産性も良好なプリント図柄付きリストバンドを提供すること。【解決手段】  パイル編みによる起毛部11を具備した筒状のニット地であり、かつ、このニット地が筒体の周方向に対して優れた伸縮性を有したバンド本体１において、その表面中域にパイルを有しない淡色の平地部12を任意の形状に区画して編成し、さらに、この平地部12の全面に、写真等の図柄Ｐを捺染して構成した。【選択図】  図１
0003122158.tif 000002
【実用新案登録請求の範囲】
【請求項１】
パイル編みによる起毛部11を具備した筒状のニット地であり、かつ、このニット地が周方向に対して優れた伸縮性を有するバンド本体１において、その表面中域にパイルを有しない淡色の平地部12が任意の形状に区画されて編成されており、さらに、この平地部12の全面に写真等の図柄Ｐを捺染して構成したことを特徴とするプリント図柄付きリストバンド。
【請求項２】
バンド本体１が、外面に起毛部11が表出するように、筒状のニット地両側をそれぞれ反転して縫着した二重構造を成していることを特徴とする請求項１記載のプリント図柄付きリストバンド。
【請求項３】
バンド本体１が、片面のみに起毛部11を有した筒状のニット地を、起毛部11が内側を向くように、ニット地両側をそれぞれ反転して縫着した二重構造であることを特徴とする請求項１記載のプリント図柄付きリストバンド。
【請求項４】
バンド本体１の平地部12に、昇華性染料を転写して図柄Ｐが加熱印刷されていることを特徴とする請求項１〜３の何れか一つに記載のプリント図柄付きリストバンド。
【請求項５】
バンド本体１の平地部12が、弾性材料から成る芯糸にポリエステル系糸材を巻着したカバーリング糸で編成されていることを特徴とする請求項１〜４の何れか一つに記載のプリント図柄付きリストバンド。
【請求項６】
バンド本体１の起毛部11が、綿糸または綿／アクリル混紡糸を用いた高密度のパイル編みによって形成されていることを特徴とする請求項１〜５の何れか一つに記載のプリント図柄付きリストバンド。
【考案の詳細な説明】
【技術分野】
【０００１】
本考案は、リストバンドの改良、詳しくは、きめが細かい図柄を印象的に形成することが可能で、使用時における図柄の割れも生じ難い機能性に優れたプリント図柄付きリストバンドに関するものである。
【背景技術】
【０００２】
周知のとおり、スポーツ観戦者やコンサートの観客は、周りのサポーターと一体感を得て応援するために、選手や歌手の背番号やシンボルマークまたは写真が描かれたＴシャツや帽子等を使用することが多く、リストバンドもそのようなアイテムの一つとして一般的に用いられている。
【０００３】
そして、そのような用途で使用されるリストバンドに関しては、＜特許文献１＞のように、吸汗性に優れたパイル生地を使用したスポーツ用リストバンドに対して、模様を刺繍したものや柄編みしたものが既に存在する。
【０００４】
ところが、上記の刺繍や編み込みを利用したリストバンドは、バンド生地と異色の刺繍糸及び編糸で柄を形成していたことから、簡単な模様である番号やシンボルマークを描くことはできても、写真等のきめの細かい図柄を描画することができなかったため、図柄の選択幅が狭く、デザインとしての物足りなさがあった。
【０００５】
一方、従来においては、＜特許文献２＞のように、模様や図柄を印刷した生地片をバンドの表面に貼着、又は縫着して作製したリストバンドも広く知られている。
【０００６】
しかしながら、上記従来のリストバンドは、繰り返しの使用による糸の解つれや貼着力の低下等を原因として、生地片が剥がれてしまうことがあり、さらに、リストバンド本体の製造とは別に、図柄や模様を生地片に印刷する工程、及び生地片をリストバンドに貼着又は縫着する工程が不可避的に必要となったため、生産面で非常に手間が掛かるという不満があった。
【０００７】
また、従来の技術として、図柄等を直接リストバンドに印刷する方法も公知となっているが（例えば、特許文献３参照）、スポーツ用リストバンドのパイル生地に図柄等を印刷すると、装着時にバンドが伸長した際、起毛が散けることによってプリント図柄が割れてしまい、特にそれが選手や歌手の顔写真であった場合には見苦しい状態になり易かった。
【０００８】
加えて、従来の印刷技術を用いたリストバンドは、単に生地上に印刷がされただけの平面的なデザインであったことから、プリント図柄の印象度も低く、応援グッズとしての機能性に欠けていた。
【特許文献１】登録実用新案３１０６０３３号公報（第２−３頁、第１−２図）
【特許文献２】特開２００２−３７１４１２号公報（第２−３頁、第１−３図）
【特許文献３】特開平７−３４３６６号公報（第２−５頁、第１図）
【考案の開示】
【考案が解決しようとする課題】
【０００９】
本考案は、この上記の問題に鑑みてなされたものであって、その目的とするところは、きめの細かい図柄を一体的、かつ、印象的に形成することが可能で、さらに、使用時における図柄の割れも生じにくく、しかも、生産性も良好なプリント図柄付きリストバンドを提供することにある。
【課題を解決するための手段】
【００１０】
本考案者が、上記課題を解決するために採用した手段を添付図面を参照して説明すれば次のとおりである。
【００１１】
即ち、本考案は、パイル編みによる起毛部11を具備した筒状のニット地であり、かつ、このニット地が筒体の周方向に対して優れた伸縮性を有したバンド本体１において、その表面中域にパイルを有しない淡色の平地部12を任意の形状に区画して編成し、さらに、この平地部12の全面に、写真等の図柄Ｐを捺染して構成した点に特徴がある。
【００１２】
また、本考案においては、上記課題を解決するために、必要に応じて上記手段に加え、バンド本体１を、外面に起毛部11が表出するように、筒状のニット地両側をそれぞれ反転して縫着した二重構造に作製するという技術的手段を採用することができる。
【００１３】
また、本考案においては、上記課題を解決するために、必要に応じて上記手段に加え、バンド本体１を、片面のみに起毛部11を有した筒状のニット地を、起毛部11が内側を向くように、ニット地両側をそれぞれ反転して縫着した二重構造に作製するという技術的手段を採用することができる。
【００１４】
また、本考案においては、上記課題を解決するために、必要に応じて上記手段に加え、バンド本体１の平地部12に、昇華性染料を転写して図柄Ｐを加熱印刷するという技術的手段を採用することができる。
【００１５】
また、本考案においては、上記課題を解決するために、必要に応じて上記手段に加え、バンド本体１の平地部12を、弾性材料から成る芯糸にポリエステル系糸材を巻着したカバーリング糸で編成するという技術的手段を採用することができる。
【００１６】
また、本考案においては、上記課題を解決するために、必要に応じて上記手段に加え、バンド本体１の起毛部11を、綿糸を用いた高密度のパイル編みによって形成するという技術的手段を採用することができる。
【考案の効果】
【００１７】
本考案においては、パイル編みしたニット地からバンド本体を作製し、さらに、バンド本体の表面中域にパイルを有しない淡色の平地部を任意の形状に区画して表出させ、この平地部に写真等の図柄を捺染したことにより、きめの細かい図柄が一体的に形成されたプリント図柄付きのリストバンドを完成させた。
【００１８】
さらに、バンド本体の平地部の周囲に起毛部を列立させるとともに、平地部の全面に図柄の捺染を行ったことから、起毛部と平地部との段差により、プリント図柄に立体的な奥行き感を付与することができ、しかも、起毛部の配色によってプリント図柄をより際立たせることもできるため、プリント図柄の印象度を格段に高めることができる。
【００１９】
加えて、バンド本体の平地部に図柄を捺染したことにより、使用時にバンド本体が伸長しても、起毛のように散けてしまうことがないため、形成したプリント図柄は非常に割れ難い。
【００２０】
また、バンド本体への捺染は、熱転写等の方法を用いるプリント装置を使用すれば、短時間で容易に行うことができるため、生産性も良好と云える。
【００２１】
したがって、本考案により、プリント図柄を印象強く形成でき、使用時においてもデザインが損なわれない機能的なリストバンドを安価に提供できることから、本考案の実用的利用価値は頗る高いと云える。
【考案を実施するための最良の形態】
【００２２】
『第１実施形態』
本考案の第１実施形態を具体的に図示した図１及び図２に基いて更に詳細に説明すると次のとおりである。まず、図中において符号１で指示するものは、ニット地で構成されたバンド本体である。
【００２３】
次に、本実施形態の構成を以下から説明する。まず、本実施形態においては、周方向に対して優れた伸縮性を有した筒状で淡色の下地を丸編みすると同時に、この下地にパイル編みを行って製した起毛部11を有するニット地からバンド本体１を作製した（図１、図２参照）。
【００２４】
そして、バンド本体１の下地に行うパイル編みでは、バンド本体１の表面中域における任意の形状に区画した領域に、パイル編みを行わないことで下地を表出させて平地部12を形成した。
【００２５】
なお、バンド本体１の下地には、捺染に適したポリエステル系フィラメントをゴム製の弾性芯糸に巻着したカバーリング細糸を使用することで、ニット地に伸縮性を付与するとともに、平地部12に綺麗な編み目を作出した。また、パイル糸には、吸汗性及び柔軟性に優れた綿糸を使用して輪奈状の起毛部11を形成した。
【００２６】
また、バンド本体１は、外面に起毛部11が表出するように、片面のみに起毛部11を有した筒状のニット地の両側をそれぞれ反転して縫着した二重構造とした。これにより、バンド本体１の吸汗性及びクッション性を高めることができ、さらに、繰り返しの使用によるバンド本体１の型崩れを抑制することもできる。
【００２７】
加えて、このような二重構造とすれば、バンド本体１の縫着部13が見えて外観を損なうようなことがなく、しかも、バンド本体１の中空内部も起毛部11を形成できるため、バンド装着時のフィット感も良好となる。
【００２８】
そして最後に、バンド本体１における平地部12の縁部14に合わせて、昇華性染料を転写して図柄Ｐを加熱印刷できるプリンタ装置を用いて捺染することにより、図柄Ｐの形成を低コストで高速に行えるようにした。
【００２９】
なお、加熱印刷の際には、過剰染料をシート材等で除去したり、捺染を行う平地部12に糊材等をコーティングしたりして、染料の滲み防止処理を行うことが好ましい。
【００３０】
上記のように構成したことによって、パイル編みしたニット地からバンド本体１を作製し、さらに、バンド本体１の表面中域にパイルを有しない淡色の平地部12を任意の形状に区画して表出させ、この平地部に写真等の図柄Ｐを捺染したことにより、きめの細かい図柄Ｐを一体的に形成したプリント図柄付きのリストバンドを作製した。
【００３１】
さらに、バンド本体１の平地部12の周囲に起毛部11を列立させるとともに、平地部12の全面に図柄Ｐの捺染を行ったことから、起毛部11と平地部12との段差により、プリント図柄Ｐに空間的な奥行き感を付与して、プリント図柄Ｐの印象強さを向上させている。
【００３２】
加えて、バンド本体１の平地部12に図柄Ｐを捺染したことにより、使用時にバンド本体１が伸長しても、起毛のように散けてしまうことがないため、きめの細かいプリント図柄Ｐでも非常に割れにくく、デザインが損なわれることはない。
【００３３】
また、バンド本体１への捺染は、熱転写等の方法を用いるプリント装置を使用すれば、短時間で容易に行うことができるため、生産性も良好と云える。
【００３４】
そしてまた、本実施形態では、バンド本体１の起毛部11に原色のパイル糸を使用して、平地部12のプリント図柄Ｐがより映える配色としている。
【００３５】
『第２実施形態』
本考案の第３実施形態を図５及び図６に基いて以下に説明する。本実施形態では、片面のみに起毛部11を有した筒状のニット地を、起毛部11が内側を向くように、ニット地両側をそれぞれ反転縫着して二重構造としたことにより、起毛部11が外観上に表われない洗練された外観のバンド本体１を作製した（図５、図６参照）。
【００３６】
そして、バンド本体１の平地部12は、起毛部11の裏面から所定段差を設けて編成しているため、奥行き感による図柄Ｐの印象度が損なわれることはない。
【００３７】
また、本考案は、概ね上記のように構成されるが、図示の実施形態に限定されるものではなく、「実用新案登録請求の範囲」の記載内において種々の変更が可能であって、例えば、バンド本体１の平地部12の形状は、矩形状でなくとも、図柄Ｐである写真の対象物（人物や乗物等）やキャラクター、商標等の輪郭に沿った形状としてもよい（図４参照）。
【００３８】
さらに、バンド本体１の起毛部11の材料は、吸水性及びクッション性が高い糸材ならば綿糸でなく、他の繊維質から成る紡積糸（例えば、綿／アクリル混紡糸等）でもよく、ニット地両面にパイル編みよる起毛部11を形成して、バンド本体１の吸汗性や柔軟性を更に向上させてもよい。
【００３９】
また、バンド本体１の下地に用いる弾性糸材には、ゴム弾性糸でなく、ポリウレタン弾性糸を使用したカバーリング糸を採用してもよい。
【００４０】
そしてまた、バンド本体１の平地部12に対する図柄Ｐの捺染は、熱転写による印刷でなくともインジェクト印刷や他の捺染方法でもよく、何れも本考案の技術的範囲に属する。
【産業上の利用可能性】
【００４１】
最近では、スポーツ観戦やコンサートへの参加がレジャーの一つとして人気が高く、その際に使用するチーム及び、選手、歌手のキャラクターグッズも、それらの参加者から需要が大きい。ところが、市場において見受けられるリストバンドは、プリント図柄の選択性が低く、装飾的にも問題があり、とても需要者が満足できるものとは云えなかった。
【００４２】
そのような中で、本考案における腰掛けプリント図柄付きリストバンドは、きめの細かいプリント図柄でも印象的に形成することができ、さらに、使用に伴う装飾的な難点も解消した優良な応援グッズであることから、市場における需要は大きく、本考案の産業上の利用価値は非常に高いと云える。
【図面の簡単な説明】
【００４３】
【図１】本考案の第１実施形態におけるプリント図柄付きリストバンドを表わした全体斜視図である。
【図２】本考案の第１実施形態におけるリストバンドの断面構造を表わす説明断面図である。
【図３】本考案の第１実施形態におけるリストバンドの縫着部を表わした全体斜視図である。
【図４】本考案の第２実施形態におけるプリント図柄付きリストバンドを表わした全体斜視図である。
【図５】本考案の第２実施形態におけるリストバンドの断面構造を表わした説明断面である。
【図６】本考案の変形例におけるプリント図柄付リストバンドを表わす全体斜視図である。
【００４４】
１  バンド本体
11  起毛部
12  平地部
13  縫着部
14  縁部
Ｐ  図柄
【図１】
0003122158.tif 000003
【図２】
0003122158.tif 000004
【図３】
0003122158.tif 000005
【図４】
0003122158.tif 000006
【図５】
0003122158.tif 000007
【図６】
0003122158.tif 000008